(57)【要約】【課題】電源基板及び制御基板をコンパクトにまとめた構成でありながら、電源基板及び制御基板の各左右方向の寸法を十分に確保する。【解決手段】本実施形態の洗濯機は、外箱２の上部に設けられたトップカバー５と、トップカバー５の前部上面に設けられた操作パネル７とを備えたものであって、トップカバー５の内部に電装品ユニット８を覆うようにユニットカバー９を設け、電装品ユニット８は、制御回路及び表示回路が実装された制御基板２４を有する制御基板ユニット２１と、電源回路が実装された電源基板２７を有する電源基板ユニット２２とを背中合わせに一体化して構成されている。【選択図】図３
2019013495.tif 000002
【特許請求の範囲】
【請求項１】
水槽が収容された外箱と、前記外箱の上部に設けられたトップカバーと、前記トップカバーの前部上面に設けられた操作パネルとを備えた洗濯機であって、
前記トップカバーの内部における前記操作パネルの下方に設けられた電装品ユニットと、
前記トップカバーの内部に前記電装品ユニットを覆うように設けられたユニットカバーとを備え、
前記電装品ユニットは、制御回路及び表示回路が実装された制御基板を有する制御基板ユニットと、電源回路が実装された電源基板を有する電源基板ユニットとを背中合わせに一体化して構成されている洗濯機。
【請求項２】
前記ユニットカバーの内底面に設けられた複数のリブを備えた請求項１記載の洗濯機。
【請求項３】
前記制御基板ユニットの外周部に複数設けられた係合部を、前記電源基板ユニットの外周部に複数設けられた被係合部に係合させることにより、前記制御基板ユニットと前記電源基板ユニットを一体化した請求項１または２記載の洗濯機。
【請求項４】
前記トップカバー内の前部に前記電装品ユニットを取り付けた状態で、前記トップカバーに前記ユニットカバーを前記電装品ユニットを覆うように取り付けた請求項３記載の洗濯機。
【発明の詳細な説明】
【技術分野】
【０００１】
本発明の実施形態は、トップカバーの前部の内部に電気部品を配設した洗濯機に関する。
【背景技術】
【０００２】
例えば全自動洗濯機のトップカバーの前部の上面には、操作パネルが配設されている。トップカバーの前部の内部には、全自動洗濯機全体を制御する制御回路等が実装された制御基板が操作パネルの下方に位置して配設されている。全自動洗濯機の電源回路が実装された電源基板を、トップカバーの後部の内部に配設した構成や、全自動洗濯機の外箱の内部下部に配設した構成等が知られている。
【０００３】
また、電源基板を制御基板に近接して配置することにより、電源基板及び制御基板をコンパクトにまとめた構成の実現が要望されている。例えば、特許文献１に記載された洗濯機が知られており、この洗濯機では、電源基板と制御基板を左右方向に並べて配置している。しかし、この構成では、電源基板と制御基板を左右方向に並べた構成の左右方向の寸法、即ち、トップカバーや洗濯機本体の左右方向の寸法が大きくなったり、反対に、電源基板及び制御基板の各左右方向の寸法を小さくしなければならず、電源回路や制御回路の実装設計が制約されてしまうおそれがあった。
【先行技術文献】
【特許文献】
【０００４】
【特許文献１】特開平８−１６４２９６公報
【発明の概要】
【発明が解決しようとする課題】
【０００５】
そこで、電源基板及び制御基板をコンパクトにまとめた構成でありながら、電源基板及び制御基板の各左右方向の寸法を十分に確保することができ、また、洗濯機本体の構成を小型化することができる洗濯機を提供する。
【課題を解決するための手段】
【０００６】
本実施形態の洗濯機は、水槽が収容された外箱と、前記外箱の上部に設けられたトップカバーと、前記トップカバーの前部上面に設けられた操作パネルとを備えたものであって、前記トップカバーの内部における前記操作パネルの下方に設けられた電装品ユニットと、前記トップカバーの内部に前記電装品ユニットを覆うように設けられたユニットカバーとを備え、前記電装品ユニットは、制御回路及び表示回路が実装された制御基板を有する制御基板ユニットと、電源回路が実装された電源基板を有する電源基板ユニットとを背中合わせに一体化して構成されている。
【図面の簡単な説明】
【０００７】
【図１】第１実施形態による洗濯機の破断側面図
【図２】トップカバー、電装品ユニット、ユニットカバーの分解斜視図
【図３】トップカバー、電装品ユニット、ユニットカバーの部分縦断側面図
【図４】電装品ユニットを下面側から見た斜視図
【図５】トップカバー、電装品ユニット、ユニットカバーの部分縦断背面図
【発明を実施するための形態】
【０００８】
（第１実施形態）
図１に例示する洗濯機１は、洗濯物を洗濯する洗濯機能および洗濯物を乾燥する乾燥機能を備えた、いわゆる洗濯乾燥機である。洗濯機１は、洗濯槽の回転中心軸が垂直方向に延びる、いわゆる縦軸型の全自動洗濯機である。洗濯機１は、その外郭を構成する外箱２の内部に、上面が開放した有底円筒状の水槽３を備える。水槽３は、弾性吊持機構４によって弾性的に支持されている。
【０００９】
また、外箱２の上部には、トップカバー５が配設されており、このトップカバー５には、水槽３の上方に位置して、例えば二つ折り可能な洗濯蓋６が開閉可能に設けられている。尚、洗濯蓋６は、二つ折りタイプに限定されるものではなく、水槽３の上部を開閉可能な洗濯蓋であれば良い。トップカバー５の前部に設けられた係合部（図示しない）を外箱２の上部前部に設けられた被係合部（図示しない）に係合させると共に、トップカバー５の後部を外箱２の上部後部にねじ止めすることにより、トップカバー５を外箱２に取り付けている。
【００１０】
トップカバー５の前部の上面には、操作パネル７が配設されており、トップカバー５の内部における上記操作パネル７の下方には、電装品ユニット８が配設されている。この電装品ユニット８の下面及び外周部は、図２及び図３に示すように、全体として浅底容器状をなす例えば樹脂製のユニットカバー９で覆われている。尚、電装品ユニット８及びユニットカバー９の具体的構成については、後述する。
【００１１】
また、外箱２の内部には、給水弁（図示しない）などを備える給水部（図示しない）が設けられている。水槽３の内部には、上記給水部から供給される水が貯留される。また、外箱２の内部には、排水弁１０などを備える排水部１１が設けられている。水槽３内の水は、この排水部１１により機外に排水される。また、水槽３の内部には、上面が開放した有底円筒状の洗濯槽１２が回転可能に設けられている。
【００１２】
洗濯槽１２は、垂直な軸線を中心に回転するように構成されており、洗濯物を洗う洗い行程および洗濯物をすすぐすすぎ行程における洗濯槽、および、洗濯物を脱水する脱水行程における脱水槽として兼用される。また、この洗濯槽１２を収容する水槽３は、洗濯物を乾燥する乾燥行程においては、乾燥対象である洗濯物が収容される乾燥室として機能する。洗濯槽１２の内部の底部には、パルセータ１３が回転可能に設けられている。
【００１３】
水槽３の下部の中央部には、洗濯槽１２およびパルセータ１３を回転させるための駆動部１４が設けられている。駆動部１４は、駆動用モータ１５や、洗濯・すすぎ運転と脱水運転を切り替えるクラッチ機構（図示しない）などを備えている。
【００１４】
水槽３の上部には、水槽カバー１６が取り付けられている。水槽カバー１６には、開口部が形成されており、この開口部は、水槽カバー１６に設けられている内蓋１７によって開閉される。ユーザは、外箱２の上部の洗濯蓋６を開き、且つ、内蓋１７を開くことにより、開口部を介して洗濯槽１２への洗濯物の出し入れが可能となっている。
【００１５】
さて、電装品ユニット８は、図２、図３及び図４に示すように、制御基板ユニット２１と、電源基板ユニット２２とを上下に積み重ねて、即ち、背中合わせに一体化して構成されたものである。制御基板ユニット２１は、全体として浅底容器状をなす例えば樹脂製の制御ユニットケース２３と、この制御ユニットケース２３内に収容固定された制御基板２４とを備えている。
【００１６】
制御基板２４は、例えばプリント配線基板で構成されており、制御回路を構成する各種の電気部品と表示回路を構成する各種の電気部品（例えばＬＥＤ等）が実装されている。制御基板２４は、例えばねじ止めや係合等により制御ユニットケース２３に固定されている。制御基板２４の上面には、表示回路のＬＥＤをホールドする例えば樹脂製のＬＥＤホルダー２５が設けられている。ＬＥＤホルダー２５は、例えばねじ止めや係合等により制御基板２４に取り付けられている。
【００１７】
また、電源基板ユニット２２は、全体として浅底容器状をなす例えば樹脂製の電源ユニットケース２６と、この電源ユニットケース２６内に収容固定された電源基板２７とを備えている。電源基板２７は、例えばプリント配線基板で構成されており、電源回路を構成する各種の電気部品が実装されている。電源基板２７は、例えばねじ止めや係合等により電源ユニットケース２６に固定されている。
【００１８】
そして、制御基板ユニット２１と電源基板ユニット２２を連結するに際しては、制御基板ユニット２１と電源基板ユニット２２を背中合わせにして、即ち、制御基板２４と電源基板２７を背中合わせに配置するようにして、制御ユニットケース２３の外周部に複数設けられた係合部２３ａを電源ユニットケース２６の外周部に複数設けられた被係合部２６ａに係合させると共に、例えばねじ止めする。これにより、制御基板ユニット２１と電源基板ユニット２２が連結されて、電装品ユニット８が構成される。
【００１９】
上記したように構成された電装品ユニット８をトップカバー５内の前部に取り付ける。この場合、電装品ユニット８のＬＥＤホルダー２５をトップカバー５の操作パネル７の下面に当接させ、電装品ユニット８をトップカバー５に例えば係合させると共にねじ止めする。そして、トップカバー５に電装品ユニット８を取り付けた状態で、ユニットカバー９により電装品ユニット８を覆うようにして、トップカバー５にユニットカバー９を例えば係合すると共にねじ止めする。これにより、図３及び図５に示すように、トップカバー５に電装品ユニット８及びユニットカバー９が取り付けられる。
【００２０】
ここで、図２に示すように、ユニットカバー９の内底面には、例えば３個のリブ２８、２９、３０が形成されていると共に、多数の開口部である例えば水抜き孔３１が形成されている。リブ２８、２９、３０の高さ寸法は、例えば５ｍｍ以上の適切な値に設定されている。リブ２８、２９、３０の図２中の右端部はユニットカバー９の図２中の右周壁部に連続し、リブ２８、２９、３０の図２中の左端部とユニットカバー９の図２中の左周壁部との間には、リブがない部分、即ち、切欠き３２が形成されている。尚、本実施形態では、切欠き３２の位置を、リブ２８、２９、３０の左端部としたが、これに限られるものではなく、リブ２８、２９、３０の一部分であれば任意の部分に形成することができる。また、リブ２８、２９、３０の互いの間隔ｄ１、ｄ２は、例えば３０ｍｍ以下の適切な値に設定されている。
【００２１】
そして、図４及び図５に示すように、トップカバー５に電装品ユニット８及びユニットカバー９を取り付けた状態では、電装品ユニット８の電源基板ユニット２２から導出されたリード線３３がリブ２８、２９、３０の上に載置されるように構成されている。この場合、リブ２８、２９、３０は、リード線３３に対して例えば直交する方向または交差する方向となるように設けられている。これにより、リード線３３は、ユニットカバー９の底面から浮き上がり、該底面に接触しない構成となっている。この構成によれば、ユニットカバー９内に洗濯水が浸入したために、ユニットカバー９の内底部が洗濯水によって濡れたような状態になった場合に、リード線３３がユニットカバー９の底面から浮き上がっているので、リード線３３が洗濯水により濡れる（即ち、リード線３２に洗濯水が付着する）ような事態の発生を確実に防止することができる。
【００２２】
そして、上記構成の場合、リブ２８、２９、３０の高さ寸法を５ｍｍ以上と設定したので、リード線３３をユニットカバー９の底面から確実に浮き上がらせることができる。また、リブ２８、２９、３０の互いの間隔ｄ１、ｄ２を３０ｍｍ以下と設定したので、リード線３３が緩むことを防止できるから、リード線３３がユニットカバー９の底面に接触することをより一層防止できる。また、リブ２８、２９、３０を、リード線３３に対して直交する方向または交差する方向に沿って設けたので、リード線３３がリブ２８、２９、３０の上から脱落してユニットカバー９の底面に接触することをより一層防止できる。
【００２３】
また、ユニットカバー９に多数の水抜き孔３１を設けたので、ユニットカバー９内に浸入した洗濯水を水抜き孔３１を通して排出することができる。また、リブ２８、２９、３０の一部に切欠き３２を形成したので、リブ２８、２９、３０間にたまった洗濯水を切欠き３２を通して水抜き孔３１の方へ導くことができるから、該洗濯水を水抜き孔３１を通して排出することができる。
【００２４】
また、本実施形態においては、トップカバー５の内部における操作パネル７の下方に電装品ユニット８を設け、トップカバー５の内部に電装品ユニット８を覆うようにユニットカバー９を設け、電装品ユニット８を、制御基板２４を有する制御基板ユニット２１と、電源基板２７を有する電源基板ユニット２２とを背中合わせに一体化して構成した。この構成によれば、電源基板２７及び制御基板２４をコンパクトにまとめた構成でありながら、電源基板２７及び制御基板２４の各左右方向の寸法を十分に確保することができ、また、トップカバー５や洗濯機本体の左右方向の寸法を大きくする必要もないことから、洗濯機本体の構成を小型化することができる。
【００２５】
また、本実施形態では、電源基板２７及び制御基板２４をコンパクトに一体化した電装品ユニット８を備えたので、電源基板２７または制御基板２４に異常が発生して洗濯機を修理する必要がある場合、トップカバー５の前部を持ち上げて、ユニットカバー９を外せば、電装品ユニット８をトップカバー５から簡単に取り外して交換することができる。
【００２６】
（その他の実施形態）
以上説明した一実施形態に加えて以下のような構成を加えても良い。
リブ２８、２９、３０の個数は、３個としたが、これに限られるものではなく、４個以上設けても良いし、または、２個設けても良い。また、洗濯機能及び乾燥機能を備えた洗濯乾燥機に適用したが、乾燥機能を備えない全自動洗濯機に適用しても良い。
【００２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
図面中、１は洗濯機、３は水槽、５はトップカバー、７は操作パネル、８は電装品ユニット、９はユニットカバー、１２は洗濯槽、２１は制御基板ユニット、２２は電源基板ユニット、２３は制御ユニットケース、２４は制御基板、２６は電源ユニットケース、２７は電源基板、２８、２９、３０はリブ、３１は水抜き孔、３２は切欠き、３３はリード線である。
【図１】
2019013495.tif 000003
【図２】
2019013495.tif 000004
【図３】
2019013495.tif 000005
【図４】
2019013495.tif 000006
【図５】
2019013495.tif 000007